【手続補正書】
【提出日】平成17年6月30日(2005.6.30)
【手続補正１】
【補正対象書類名】明細書
【補正対象項目名】特許請求の範囲
【補正方法】変更
【補正の内容】
【特許請求の範囲】
【請求項１】
発信元のネットワークノードおよび行先ネットワークノードを接続する複数の第１のメディアインタフェースリンクのうちの選択された１つを使用して、前記発信元のネットワークノードのメディアアクセスコントローラから出力されるデータフレームを前記行先ネットワークノードへ転送する方法であって、
各々がデータを同じ行先ネットワークノードと連絡しているそれぞれ対応の物理レイヤリンクへ第１のデータ速度において送信するように構成される複数の第１のメディアインタフェースリンクを確立するステップと、
第２のメディアインタフェースリンクを介して前記メディアアクセスコントローラから前記データフレームをメディアインタフェース内で前記第１のデータ速度より速い第２のデータ速度において受信し、経路選択調停論理に従って複数の送信バッファのうちの１つに前記データフレームを記憶するステップとを含み、各送信バッファは対応する第１のメディアインタフェースリンクへ送信すべきデータを記憶するように構成されており、前記方法はさらに、
所定の最小しきい値に達する前記１つの送信バッファ内の記憶されたバイト数に応答して前記メディアインタフェース内で前記経路選択調停論理に従って前記受信されたデータフレームを前記第１のメディアインタフェースリンクのうちの前記選択された１つ上で同じ行先ネットワークノードと連絡しているそれぞれ対応の物理レイヤリンクへ送信するステップを含む、方法。
【請求項２】
前記送信するステップは、前記対応する第１のメディアインタフェースリンクの利用可能性を検出するステップをさらに含む、請求項１に記載の方法。
【請求項３】
前記記憶するステップは、前記送信バッファ間のリーストリーセントリーユーズド調停に基づいて前記受信されたデータフレームを記憶するための前記１つの送信バッファを前記経路選択調停論理により選択するステップを含む、請求項２に記載の方法。
【請求項４】
前記選択するステップは、前記リーストリーセントリーユーズド調停としてラウンドロビン調停を用いて前記１つの送信バッファを選択するステップを含む、請求項３に記載の方法。
【請求項５】
前記記憶するステップは、
前記データフレームの優先順位を定めるステップと、
前記定められた優先順位に基づいて高優先順位バッファおよび低優先順位バッファの一
方に前記データフレームを選択的に記憶するステップと、
前記高優先順位バッファ内に記憶されたデータに関連する前記定められた優先順位に基づいて、対応する優先順位バッファから前記１つの送信バッファへ前記データフレームを出力するステップとを含む、請求項１に記載の方法。
【請求項６】
前記優先順位を定めるステップは、前記データフレーム内のヘッダ情報を読取り、前記優先順位を識別するステップを含む、請求項５に記載の方法。
【請求項７】
発信元のネットワークノードおよび行先ネットワークノードを接続する複数の第１のメディアインタフェースリンクのうちの選択された１つを使用して、前記発信元のネットワークノードのメディアアクセスコントローラから出力されるデータフレームを前記行先ネットワークノードへ転送する方法であって、
各々がデータを同じ行先ネットワークノードと連絡している複数のそれぞれ対応の物理レイヤリンクへ第１のデータ速度において送信するように構成される前記複数の第１のメディアインタフェースリンクを確立するステップと、
第２のメディアインタフェースリンクを介して前記メディアアクセスコントローラから前記データフレームをメディアインタフェース内で前記第１のデータ速度より速い第２のデータ速度において受信し、経路選択調停論理に従って複数の送信バッファのうちの１つに前記データフレームを記憶するステップとを含み、各送信バッファは対応する第１のメディアインタフェースリンクへ送信すべきデータを記憶するように構成されており、前記方法はさらに、
所定の最小しきい値に達する前記１つの送信バッファ内の記憶されたバイト数に応答して前記メディアインタフェース内で前記経路選択調停論理に従って前記受信されたデータフレームを前記第１のメディアインタフェースリンクのうちの前記選択された１つ上で同じ行先ネットワークノードと連絡しているそれぞれ対応の物理レイヤリンクへ送信するステップと、
前記データフレームの優先順位を定めるステップと、
前記定められた優先順位に基づいて高優先順位バッファおよび低優先順位バッファの一方に前記データフレームを選択的に記憶するステップと、
前記高優先順位バッファ内に記憶されたデータに関連する前記定められた優先順位に基づいて、対応する優先順位バッファから前記１つの送信バッファへ前記データフレームを出力するステップとを含み、
前記優先順位を定めるステップは、前記データフレーム内のペイロードデータ情報を読取り、前記優先順位を識別するステップを含む、方法。
【請求項８】
前記受信するステップは、
前記データフレームの優先順位を定めるステップと、
前記定められた優先順位に基づいて高優先順位バッファおよび低優先順位バッファの一方に前記データフレームを選択的に記憶するステップと、
前記経路選択調停論理に従って前記高優先順位バッファ内に記憶される高優先順位データを複数の送信バッファのうちの利用可能な第１のものへ最初に出力するステップとを含み、各送信バッファは前記メディアインタフェースリンクのうちの対応する１つへ送信すべきデータを記憶するように構成されており、前記受信するステップはさらに、
前記高優先順位バッファ内の記憶されるバイト数が所定のしきい値以下に減少した後、前記経路選択調停論理に従って、前記低優先順位バッファ内に記憶される低優先順位データを前記送信バッファのうちの利用可能な第２のものへ２番目に出力するステップを含む、請求項１に記載の方法。
【請求項９】
前記受信するステップは、前記第２のデータ速度としての毎秒１ギガビットのデータ速度において前記データフレームを前記第２のメディアインタフェースリンクから受信するステップを含む、請求項１に記載の方法。
【請求項１０】
前記送信するステップは、前記第１のデータ速度としての毎秒１００メガビットの速度において前記受信したデータフレームを前記１つの第１のメディアインタフェースリンク上に送信するステップを含む、請求項９に記載の方法。
【請求項１１】
前記第１のメディアインタフェースリンクの各々から送信されたデータフレームを前記メディアインタフェース内へ受信するステップと、
前記第１のメディアインタフェースリンクの各々から受信した前記送信されたデータフレームを対応する受信バッファ内に記憶するステップと、
所定の最小量のデータが前記対応する受信バッファ内に記憶された後、前記受信バッファの各々から前記第２のメディアインタフェースリンクを介して前記メディアアクセスコントローラへ前記記憶された送信されたデータフレームを転送するステップとをさらに含む、請求項１に記載の方法。
【請求項１２】
前記１つの第１のメディアインタフェースリンクは、前記１つの第１のメディアインタフェースリンクの対応する利用可能性に基づいて前記経路選択調停論理によって選択される、請求項２に記載の方法。
【請求項１３】
メディアアクセスコントローラから第１のメディアインタフェースリンクを介して第１の伝送速度において受信したデータフレームを送信するための装置であって、
それぞれ対応の複数の第２のメディアインタフェースリンクへ出力すべきデータを記憶するように構成される複数の送信バッファを含み、前記第２のメディアインタフェースリンクは各々がデータを前記第１のデータ速度より遅い第２のデータ速度において送信および受信するように構成されており、前記装置はさらに
経路選択調停論理を有し前記受信したデータフレームを前記送信バッファのうちの選択された１つに選択的に記憶するための第１のメディアインタフェースコントローラと、
所定のしきい値を超える対応する記憶されたバイト数および対応する第２のメディアインタフェースリンクの利用可能性に基づいて、前記送信バッファの各々に記憶される前記データを出力するように構成される第２のメディアインタフェースコントローラとを含む、装置。
【請求項１４】
前記第１のメディアインタフェースコントローラによって高い優先順位を有するものであると識別された、前記メディアアクセスコントローラからのデータフレームを記憶するように構成される高優先順位送信バッファと、
前記第１のメディアインタフェースコントローラによって低い優先順位を有するものであると識別された、前記メディアアクセスコントローラからのデータフレームを記憶するように構成される低優先順位送信バッファとをさらに含み、
前記第１のメディアインタフェースコントローラは、前記低優先順位送信バッファから前記送信バッファへ出力する前に、少なくとも１つの前記送信バッファへの前記高優先順位送信バッファからの出力を制御する、請求項１３に記載の装置。
【請求項１５】
複数の受信バッファをさらに含む、請求項１３に記載の装置。
【請求項１６】
前記経路選択調停論理は、リーストリーセントリーユーズド調停に従って前記１つの送信バッファを選択する、請求項１３に記載の装置。
【請求項１７】
前記経路選択調停論理は、前記リーストリーセントリーユーズド調停としてラウンドロビン方式を用いる、請求項１６に記載の装置。
【請求項１８】
前記第１のメディアインタフェースリンクと前記第２のメディアインタフェースリンクとの間で管理データ情報を送信するように構成される管理コンバージェンス論理をさらに含む、請求項１３に記載の装置。